(57)【要約】【課題】ユーザが簡単に会員登録を行う。【解決手段】非接触ＩＣチップが内蔵されている携帯端末１０は、ユーザの個人情報を管理サーバ３０に送信する。管理サーバ３０は、携帯端末１０から受信した個人情報に認証コードを発行し、個人情報と対応付けて記憶するとともに、認証コードをＱＲコード化して表示する画面を作成し、その画面のＵＲＬを携帯端末１０に送信する。携帯端末１０は当該画面のＱＲコードを表示し、ＱＲコードリーダを備える端末装置２０に読み込ませる。また、このとき非接触通信により、非接触ＩＤも端末装置２０に送信する。端末装置２０は、携帯端末１０から認証コードと非接触ＩＤとを受信すると、それらを管理サーバ３０に送信する。管理サーバ３０は、端末装置２０から送信された認証コードで、対応する個人情報を特定し、特定した個人情報に対応付けて、端末装置２０から送信されてきた非接触ＩＤを記憶する。【選択図】図１
2009230493.tif 000002
【特許請求の範囲】
【請求項１】
非接触ＩＣチップが内蔵された携帯端末と、前記携帯端末と非接触通信する機能を有する端末装置と、前記携帯端末および端末装置とネットワークを介して接続され、登録された携帯端末に所定のサービスを提供する管理サーバとから構成されるサービス登録システムであって、
前記管理サーバは、
前記携帯端末のユーザの個人情報を受け付け、受け付けた個人情報に一意の暗証番号を発行し、該個人情報と対応付けて記憶する、暗証番号記憶手段と、
前記暗証番号記憶手段で記憶した暗証番号を報知させるための報知情報を、前記携帯端末又は該携帯端末のユーザに送信する、報知情報送信手段と、を備え、
前記端末装置は、
前記報知情報が送信された携帯端末又は該携帯端末のユーザから暗証番号を取得する暗証番号取得手段と、
前記携帯端末から非接触通信により、非接触ＩＣチップの識別情報を取得する非接触ＩＤ取得手段と、
前記暗証番号取得手段で取得した暗証番号と、前記非接触ＩＤ取得手段で取得した非接触ＩＣチップの識別情報とを、前記管理サーバに送信する送信手段と、を備え、
前記管理サーバは、
前記端末装置から受信した暗証番号に基づいて、前記暗証番号記憶手段に記憶されている個人情報を特定する個人情報特定手段と、
前記個人情報特定手段で特定した個人情報に、前記端末装置から受信した非接触ＩＣチップの識別情報を対応付けて記憶する非接触ＩＣ記憶手段と、
を備えることを特徴とするサービス登録システム。
【請求項２】
携帯端末と、端末装置と、前記携帯端末および端末装置とネットワークを介して接続され、登録された非接触ＩＣカードに所定のサービスを提供する管理サーバとから構成されるサービス登録システムであって、
前記管理サーバは、
前記携帯端末のユーザの個人情報を受け付け、受け付けた個人情報に一意の暗証番号を発行し、該個人情報と対応付けて記憶する、暗証番号記憶手段と、
前記暗証番号記憶手段で記憶した暗証番号を報知させるための報知情報を、前記携帯端末又は該携帯端末のユーザに送信する、報知情報送信手段と、を備え、
前記端末装置は、
前記報知情報が送信された携帯端末又は該携帯端末のユーザから暗証番号を取得する暗証番号取得手段と、
ユーザ所有の非接触ＩＣカードから非接触通信により、非接触ＩＣカードの識別情報を取得する非接触ＩＤ取得手段と、
前記暗証番号取得手段で取得した暗証番号と、前記非接触ＩＤ取得手段で取得した非接触ＩＣチップの識別情報とを、前記管理サーバに送信する送信手段と、を備え、
前記管理サーバは、
前記端末装置から受信した暗証番号に基づいて、前記暗証番号記憶手段に記憶されている個人情報を特定する個人情報特定手段と、
前記個人情報特定手段で特定した個人情報に、前記端末装置から受信した非接触ＩＣカードの識別情報を対応付けて記憶する非接触ＩＣ記憶手段と、
を備えることを特徴とするサービス登録システム。
【請求項３】
前記報知情報は、暗証番号、コード化した暗証番号の少なくとも１つを表すものである、
ことを特徴とする、請求項１又は２に記載のサービス登録システム。
【請求項４】
前記携帯端末は、受信した報知情報に基づいて暗証番号、コード化した暗証番号の少なくとも１つを表示する暗証番号表示手段を更に備える、
ことを特徴とする請求項３に記載のサービス登録システム。
【請求項５】
前記管理サーバは、前記暗証番号記憶手段で記憶した暗証番号を表示するための暗証番号表示用画面を作成する、暗証番号表示用画面作成手段をさらに備え、
前記報知情報は、前記暗証番号表示用画面へアクセスするための情報であり、
前記携帯端末は、受信した報知情報に基づいて前記暗証番号表示用画面にアクセスして、当該暗証番号表示用画面を表示する、
ことを特徴とする請求項１乃至４の何れか１項に記載のサービス登録システム。
【請求項６】
前記暗証番号表示用画面は、前記暗証番号記憶手段で記憶した暗証番号をコード化して表示したものであり、
前記端末装置は、コード化された情報を読み取るコード読取手段をさらに備え、
前記暗証番号取得手段は、前記暗証番号表示用画面上のコードを前記コード読取手段で読み取ることにより暗証番号を取得する、
ことを特徴とする請求項５に記載のサービス登録システム。
【請求項７】
前記報知情報送信手段は、前記携帯端末のユーザ宛に、前記報知情報を印刷して送付するための処理を行う、
ことを特徴とする、請求項１乃至６の何れか１項に記載のサービス登録システム。
【請求項８】
非接触ＩＣチップが内蔵された携帯端末、および、前記携帯端末と非接触通信する端末装置とネットワークを介して接続され、登録された携帯端末に所定のサービスを提供する管理サーバであって、
前記携帯端末のユーザの個人情報を受け付け、受け付けた個人情報に一意の暗証番号を発行し、該個人情報と対応付けて記憶する、暗証番号記憶手段と、
前記暗証番号記憶手段で記憶した暗証番号を報知させるための報知情報を、前記携帯端末又は該携帯端末のユーザに送信する、報知情報送信手段と、
前記端末装置から暗証番号と非接触ＩＣチップの識別情報とを受信し、受信した暗証番号に基づいて、前記暗証番号記憶手段に記憶されている個人情報を特定する個人情報特定手段と、
前記個人情報特定手段で特定した個人情報に、前記端末装置から受信した非接触ＩＣチップの識別情報を対応付けて記憶する非接触ＩＣ記憶手段と、
を備えることを特徴とする管理サーバ。
【請求項９】
携帯端末および端末装置とネットワークを介して接続され、登録された非接触ＩＣカードに所定のサービスを提供する管理サーバであって、
前記携帯端末のユーザの個人情報を受け付け、受け付けた個人情報に一意の暗証番号を発行し、該個人情報と対応付けて記憶する、暗証番号記憶手段と、
前記暗証番号記憶手段で記憶した暗証番号を報知させるための報知情報を、前記携帯端末又は該携帯端末のユーザに送信する、報知情報送信手段と、
前記端末装置から暗証番号と非接触ＩＣカードの識別情報とを受信し、受信した暗証番号に基づいて、前記暗証番号記憶手段に記憶されている個人情報を特定する個人情報特定手段と、
前記個人情報特定手段で特定した個人情報に、前記端末装置から受信した非接触ＩＣカードの識別情報を対応付けて記憶する非接触ＩＣ記憶手段と、
を備えることを特徴とする管理サーバ。
【発明の詳細な説明】
【技術分野】
【０００１】
本発明は、所定のサービスを利用可能に登録するサービス登録システム、および、管理サーバに関する。
【背景技術】
【０００２】
非接触ＩＣカードや、非接触ＩＣチップが内蔵された携帯端末などを利用した、入退場管理や、ポイントサービスなどの各種サービスが行われている（例えば、特許文献１参照）。これらのサービスの提供を希望するユーザは、予め、サービスセンターなどに自身が所持するＩＣカード又は携帯端末を持参し、申込書に氏名や住所などの個人情報を記入してＩＣカード又は携帯端末とともにオペレータに差し出し、オペレータが申し込み書記載の個人情報と、ＩＣカード又は携帯端末の識別情報とを対応付けて管理サーバ等に登録する一連の処理を行うことで、当該ＩＣカード又は携帯端末でサービスの利用が可能となる。
【特許文献１】特開２００３−２２８３０７号公報
【発明の開示】
【発明が解決しようとする課題】
【０００３】
ユーザは、この一連の処理を行うために、サービスセンタまで出向く必要があり面倒である。
【０００４】
本発明は、上記実情に鑑みてなされたものであり、ユーザが簡単に会員登録をすることができる、サービス登録システム、および、管理サーバを提供することを目的とする。
【課題を解決するための手段】
【０００５】
上記目的を達成するため、本発明の第１の観点に係るサービス登録システムは、
非接触ＩＣチップが内蔵された携帯端末と、前記携帯端末と非接触通信する機能を有する端末装置と、前記携帯端末および端末装置とネットワークを介して接続され、登録された携帯端末に所定のサービスを提供する管理サーバとから構成されるサービス登録システムであって、
前記管理サーバは、
前記携帯端末のユーザの個人情報を受け付け、受け付けた個人情報に一意の暗証番号を発行し、該個人情報と対応付けて記憶する、暗証番号記憶手段と、
前記暗証番号記憶手段で記憶した暗証番号を報知させるための報知情報を、前記携帯端末又は該携帯端末のユーザに送信する、報知情報送信手段と、を備え、
前記端末装置は、
前記報知情報が送信された携帯端末又は該携帯端末のユーザから暗証番号を取得する暗証番号取得手段と、
前記携帯端末から非接触通信により、非接触ＩＣチップの識別情報を取得する非接触ＩＤ取得手段と、
前記暗証番号取得手段で取得した暗証番号と、前記非接触ＩＤ取得手段で取得した非接触ＩＣチップの識別情報とを、前記管理サーバに送信する送信手段と、を備え、
前記管理サーバは、
前記端末装置から受信した暗証番号に基づいて、前記暗証番号記憶手段に記憶されている個人情報を特定する個人情報特定手段と、
前記個人情報特定手段で特定した個人情報に、前記端末装置から受信した非接触ＩＣチップの識別情報を対応付けて記憶する非接触ＩＣ記憶手段と、
を備えることを特徴とする。
【０００６】
上記目的を達成するため、本発明の第２の観点に係るサービス登録システムは、
携帯端末と、端末装置と、前記携帯端末および端末装置とネットワークを介して接続され、登録された非接触ＩＣカードに所定のサービスを提供する管理サーバとから構成されるサービス登録システムであって、
前記管理サーバは、
前記携帯端末のユーザの個人情報を受け付け、受け付けた個人情報に一意の暗証番号を発行し、該個人情報と対応付けて記憶する、暗証番号記憶手段と、
前記暗証番号記憶手段で記憶した暗証番号を報知させるための報知情報を、前記携帯端末又は該携帯端末のユーザに送信する、報知情報送信手段と、を備え、
前記端末装置は、
前記報知情報が送信された携帯端末又は該携帯端末のユーザから暗証番号を取得する暗証番号取得手段と、
ユーザ所有の非接触ＩＣカードから非接触通信により、非接触ＩＣカードの識別情報を取得する非接触ＩＤ取得手段と、
前記暗証番号取得手段で取得した暗証番号と、前記非接触ＩＤ取得手段で取得した非接触ＩＣチップの識別情報とを、前記管理サーバに送信する送信手段と、を備え、
前記管理サーバは、
前記端末装置から受信した暗証番号に基づいて、前記暗証番号記憶手段に記憶されている個人情報を特定する個人情報特定手段と、
前記個人情報特定手段で特定した個人情報に、前記端末装置から受信した非接触ＩＣカードの識別情報を対応付けて記憶する非接触ＩＣ記憶手段と、
を備えることを特徴とする。
【０００７】
前記報知情報は、暗証番号、コード化した暗証番号の少なくとも１つを表すものであってもよい。
【０００８】
前記携帯端末は、受信した報知情報に基づいて暗証番号、コード化した暗証番号の少なくとも１つを表示する暗証番号表示手段を更に備えてもよい。
【０００９】
前記管理サーバは、前記暗証番号記憶手段で記憶した暗証番号を表示するための暗証番号表示用画面を作成する、暗証番号表示用画面作成手段をさらに備え、
前記報知情報は、前記暗証番号表示用画面へアクセスするための情報であり、
前記携帯端末は、受信した報知情報に基づいて前記暗証番号表示用画面にアクセスして、当該暗証番号表示用画面を表示してもよい。
【００１０】
前記暗証番号表示用画面は、前記暗証番号記憶手段で記憶した暗証番号をコード化して表示したものであり、
前記端末装置は、コード化された情報を読み取るコード読取手段をさらに備え、
前記暗証番号取得手段は、前記暗証番号表示用画面上のコードを前記コード読取手段で読み取ることにより暗証番号を取得してもよい。
【００１１】
前記報知情報送信手段は、前記携帯端末のユーザ宛に、前記報知情報を印刷して送付するための処理を行ってもよい。
【００１２】
上記目的を達成するため、本発明の第３の観点に係る管理サーバは、
非接触ＩＣチップが内蔵された携帯端末、および、前記携帯端末と非接触通信する端末装置とネットワークを介して接続され、登録された携帯端末に所定のサービスを提供する管理サーバであって、
前記携帯端末のユーザの個人情報を受け付け、受け付けた個人情報に一意の暗証番号を発行し、該個人情報と対応付けて記憶する、暗証番号記憶手段と、
前記暗証番号記憶手段で記憶した暗証番号を報知させるための報知情報を、前記携帯端末又は該携帯端末のユーザに送信する、報知情報送信手段と、
前記端末装置から暗証番号と非接触ＩＣチップの識別情報とを受信し、受信した暗証番号に基づいて、前記暗証番号記憶手段に記憶されている個人情報を特定する個人情報特定手段と、
前記個人情報特定手段で特定した個人情報に、前記端末装置から受信した非接触ＩＣチップの識別情報を対応付けて記憶する非接触ＩＣ記憶手段と、
を備えることを特徴とする。
【００１３】
上記目的を達成するため、本発明の第４の観点に係る管理サーバは、
携帯端末および端末装置とネットワークを介して接続され、登録された非接触ＩＣカードに所定のサービスを提供する管理サーバであって、
前記携帯端末のユーザの個人情報を受け付け、受け付けた個人情報に一意の暗証番号を発行し、該個人情報と対応付けて記憶する、暗証番号記憶手段と、
前記暗証番号記憶手段で記憶した暗証番号を報知させるための報知情報を、前記携帯端末又は該携帯端末のユーザに送信する、報知情報送信手段と、
前記端末装置から暗証番号と非接触ＩＣカードの識別情報とを受信し、受信した暗証番号に基づいて、前記暗証番号記憶手段に記憶されている個人情報を特定する個人情報特定手段と、
前記個人情報特定手段で特定した個人情報に、前記端末装置から受信した非接触ＩＣカードの識別情報を対応付けて記憶する非接触ＩＣ記憶手段と、
を備えることを特徴とする。
【発明の効果】
【００１４】
本発明によると、ユーザは、サービスセンタなどに出向かないで、従来より簡単に会員登録することができる。
【発明を実施するための最良の形態】
【００１５】
以下、本発明の実施形態に係る、サービス提供システム１について、図面を参照して説明する。サービス提供システム１は、所定の登録処理によって登録された携帯端末に、メール配信などのサービスを提供するものである。
【００１６】
サービス提供システム１は、図１に示すように、非接触ＩＣチップが内蔵されている携帯端末１０と、端末装置２０と、管理サーバ３０とを備える。そして、携帯端末１０と、端末装置２０は、インターネットやＬＡＮ（Local Area Network）等の通信ネットワーク４０を介して、管理サーバ３０と接続されている。また、端末装置２０は、リーダやＱＲリーダとしても機能し、携帯端末１０と無線通信を行ったり、ＱＲコードから情報を読み取る。
【００１７】
携帯端末１０は、ユーザが携帯して音声通話や、メールなどを行うための機器である。なお、本実施携帯では、説明を容易にするため、携帯端末１０の音声通話機能については説明を省略する。
携帯端末１０は、図２に示すように、通信部１１と、入力部１２と、出力部１３と、記憶部１４と、制御部１５と、非接触通信部１６とを備える。
【００１８】
通信部１１は、通信ネットワークを介して管理サーバと通信を行うものであり、通信インタフェース等を備える。例えば、通信部１１は、管理サーバ３０に仮登録要求を送信する。
【００１９】
入力部１２は、様々な情報を入力するために使用されるものであり、キーボタン等を備える。例えば、携帯端末１０のユーザは、入力部１２を介して、個人情報、および、該個人情報を含んだ仮登録要求を管理サーバ３０に送信することを指示する情報を入力する。
【００２０】
出力部１３は、様々な情報を出力するものであり、液晶ディスプレイ等の表示装置を備える。例えば、出力部１３は、通信部１１を介して受信した暗証番号を示す画面を表示する。また、出力部１３は、暗証番号をコード化したＱＲコードを表示する。
【００２１】
記憶部１４は、様々な情報やプログラム等を記憶するものであり、ハードディスク等の補助記憶装置を備える。また、記憶部１４は、制御部１５のワークエリアとして使用される。
【００２２】
制御部１５は、ＣＰＵ（Central Processing Unit）、ＲＯＭ（Read Only Memory）、ＲＡＭ（Random Access Memory）等から構成され、データの演算処理を行うと共に、携帯端末１０の全体を制御する。制御部における演算処理及び制御処理は、具体的には、ＣＰＵが、ＲＡＭを作業領域として使用して各種データを一時的に記憶させながら、ＲＯＭに記憶されている制御プログラムを実行することにより行われる。
【００２３】
この制御部１５が、ＲＯＭや記憶部１４に記憶されているプログラムに従って通信部１１、入力部１２、出力部１３、記憶部１４、非接触通信部１６等を制御することにより、後述する仮登録処理や、登録処理等が行われる。
【００２４】
非接触通信部１６は、非接触ＩＣチップ等を備え、制御部１５の指示のもと、近接された非接触通信機能を有する端末装置２０と非接触通信を行う。なお、非接触ＩＣチップには、固有の識別情報（非接触ＩＤ）が設定されている。
なお、非接触通信部１６は、携帯端末１０に固定されるものであってもよいし、着脱可能な非接触ＩＣカードによって構成してもよい。
【００２５】
次に、端末装置２０の具体的構成を説明する。
端末装置２０は、図３に示すように、通信部２１と、入力部２２と、出力部２３と、記憶部２４と、制御部２５と、非接触リーダ２６と、ＱＲコードリーダ２７とを備える。
【００２６】
通信部２１は、通信ネットワークを介して、管理サーバ３０と通信を行う。例えば、通信部２１は、管理サーバに、携帯端末１０の非接触ＩＤと暗証番号とを含んだ登録要求を送信する。
【００２７】
入力部２２は、様々な情報を入力するために使用されるものであり、キーボードやマウス等の入力装置を備える。
【００２８】
出力部２３は、様々な情報を出力するものであり、ディスプレイ等の表示装置を備える。
【００２９】
記憶部２４は、様々な情報やプログラム等を記憶するものであり、ハードディスク等の補助記憶装置を備える。また、記憶部２４は、制御部２５のワークエリアとして使用される。
【００３０】
制御部２５は、記憶部２４に記憶されているプログラムに従って通信部２１、入力部２２、出力部２３、記憶部２４等を制御し、携帯端末１０から受信した情報を、管理サーバ３０に送信する処理等を行う。
【００３１】
非接触リーダ２６は、携帯端末１０の非接触通信部１６と非接触通信を行い、各種情報を受信する。
【００３２】
ＱＲコードリーダ２７は、ＱＲコードを読み取れるリーダ、もしくはＱＲコードを読み取れるように構成されたカメラ機構等からなり、ＱＲコードを読み取り、読み取ったＱＲコードから情報を抽出し、制御部２５に入力する。
【００３３】
次に、管理サーバ３０の具体的構成を説明する。
管理サーバ３０は、図４に示すように、通信部３１と、記憶部３２と、制御部３３とを備える。
【００３４】
通信部３１は、通信ネットワーク４０を介して、携帯端末１０、端末装置２０と通信を行う。例えば、通信部３１は、携帯端末１０から、仮登録要求を受信する。また、例えば、通信部３１は、携帯端末１０に、暗証番号を表示するＷＥＢページのＵＲＬを送信する。また、例えば、通信部３１は、端末装置２０から、携帯端末１０の非接触ＩＤと暗証番号とを含んだ会員登録要求を受信する。
【００３５】
記憶部３２は、様々な情報やプログラム等を記憶するものであり、ハードディスク等の補助記憶装置を備える。また、記憶部３２は、制御部３３のワークエリアとして使用される。また、記憶部３２には、管理サーバ３０が提供するサービスに関する情報も記憶されている。
【００３６】
また、記憶部３２は、会員情報ＤＢ３２１を備える。会員情報ＤＢ３２１は、図５に示すように、管理サーバ３０が提供するサービスを利用可能な会員毎に、該会員の個人情報（氏名、住所、メールアドレスなど）や、暗証番号、所有する携帯端末１０の非接触ＩＤなどを対応付けて記憶する。会員情報ＤＢ３２１に記憶されている非接触ＩＤは、管理サーバ３０が提供するサービスのログイン処理に利用され、非接触ＩＤが会員情報ＤＢ３２１に記憶されている携帯端末１０のみが、当該サービスを利用することができる。
【００３７】
制御部３３は、記憶部３２に記憶されているプログラムに従って通信部３１、記憶部３２等を制御し、端末装置２０から受信した登録情報を、会員情報ＤＢ３２１に登録する処理等を行う。
【００３８】
続いて、本実施形態のサービス提供システム１における、サービスを利用可能となるように携帯端末１０を登録する処理について、図面を参照して説明する。
【００３９】
始めに、携帯端末１０を仮登録する処理（仮登録処理）について、図６を参照して説明する。
この仮登録処理は、例えば、携帯端末１０のユーザが、氏名等の個人情報と、当該個人情報を管理サーバ３０に仮登録する旨を指示する情報とを入力部１２に入力すること等により、開始される。
【００４０】
まず、携帯端末１０の制御部１５は、入力された個人情報を含む仮登録要求を、管理サーバ３０に送信する（ステップＳ１０１）。
【００４１】
管理サーバ３０の制御部３３は、携帯端末１０から仮登録要求を受信すると（ステップＳ１０２）、一意の暗証番号を発行する（ステップＳ１０３）。
【００４２】
続いて、制御部３３は、受信した仮登録要求に含まれる個人情報と仮登録暗証番号とを対応付けて、会員情報ＤＢ３２１に記憶する（ステップＳ１０４）。
【００４３】
続いて、制御部３３は、発行した暗証番号をＱＲコード化し、当該ＱＲコードを表示するための、図７（Ａ）に示すような画面（仮登録完了画面）を作成する（ステップＳ１０５）。なお、当該画面には、仮登録要求に含まれる個人情報も表示させるようにしてもよい。
【００４４】
続いて、制御部３３は、作成した仮登録完了画面にアクセスするためのＵＲＬを、仮登録要求を受信した携帯端末１０に送信する（ステップＳ１０６）。
【００４５】
携帯端末１０の制御部１５は、管理サーバ３０からＵＲＬを受信すると（ステップＳ１０７）、ＷＥＢブラウザを起動し、ＷＥＢブラウザを介して、受信したＵＲＬ先にアクセスし、仮登録完了画面を出力部に表示させる（ステップＳ１０８）。
以上で、仮登録処理は完了する。仮登録完了時においては、携帯端末１０の所有者であるユーザの個人情報は管理サーバ３０に登録されるが、携帯端末１０の非接触ＩＤは登録されていない。従って、管理サーバ３０が提供するサービスを、この携帯端末１０は利用することは未だできない。
【００４６】
続いて、仮登録処理が完了した携帯端末１０が、管理サーバ３０の提供するサービスを利用可能となるように、携帯端末１０を管理サーバ３０に登録する処理（登録処理）について、図８を参照して説明する。
この登録処理は、例えば、携帯端末１０のユーザが、仮登録完了画面上に表示されているＱＲコードを端末装置２０のＱＲコードリーダ２７に読み取らせて、ＱＲコードリーダ２７が、抽出した暗証番号を制御部２５に送信した際に開始される。なお、このＱＲコードの読取の際に、携帯端末１０の非接触通信部１６と、端末装置２０の非接触リーダ２６との間で非接触通信がなされ、携帯端末１０の非接触ＩＤも、ほぼ同時に端末装置２０に送信される。
【００４７】
まず、端末装置２０の制御部２５は、ＱＲコードリーダ２７がＱＲコードから抽出した暗証番号と非接触リーダ２６が取得した非接触ＩＤとを含んだ登録要求を管理サーバ３０に送信する（ステップＳ２０１）。
【００４８】
管理サーバ３０の制御部３３は、端末装置２０から登録要求を受信すると（ステップＳ２０２）、当該会員要求に含まれる暗証番号が記憶されている会員情報ＤＢ３２１のエントリを特定する（ステップＳ２０３）。
【００４９】
そして、制御部３３は、特定したエントリに、受信した会員登録要求に含まれる非接触ＩＤを記憶させる（ステップＳ２０４）。
以上で、会員登録処理は完了する。
【００５０】
このように、本実施形態では、ユーザはサービスセンタに出向くことなく、個人情報と携帯端末の非接触ＩＤとを、対応付けて管理サーバに登録することができる。従って、従来より容易にサービスの会員登録をすることができる。
【００５１】
なお、本発明を実施するにあたっては、種々の形態が考えられ、上記実施の形態に限られるものではない。
【００５２】
例えば、本実施形態では、携帯端末１０でサービスを利用することができるように、管理サーバ３０に携帯端末１０の非接触ＩＤを登録したが、これに限らず、非接触ＩＣカードでサービスを利用できるように、非接触ＩＣカードの非接触ＩＤを管理サーバ３０に登録するようにしてもよい。
具体的には、携帯端末１０の仮登録完了画面上に表示されているＱＲコードを端末装置２０のＱＲコードリーダ２７に読み取らせるとともに、登録したい非接触ＩＣカードを非接触リーダ２６に近接させてその非接触ＩＤを端末装置２０に送信させることで、図８に示す登録処理を開始するようにすればよい。なお、この場合は、携帯端末１０は、非接触通信を行う必要はないので、非接触通信部１６を備えなくてもよい。
【００５３】
また、仮登録処理において、携帯端末１０が管理サーバ３０に仮登録要求を送信したが（ステップＳ１０１）、端末装置２０等の他の通信機器（ＰＣ等）が、携帯端末１０のユーザの個人情報を含む仮登録要求を管理サーバ３０に送信してもよい。なお、この場合には、仮登録要求に含める個人情報には、携帯端末１０のメールアドレスを含ませておく必要がある。そして、ステップＳ１０６のＵＲＬ送信の宛先はこのメールアドレス先の携帯端末１０にすればよい。
また、携帯端末１０のユーザの個人情報を記憶、管理している既存のデータベースサーバ等がある場合には、このデータベースサーバから、管理サーバ３０に個人情報を登録する仮登録処理を行うようにしてもよい。
【００５４】
また、本実施形態では、仮登録処理において、管理サーバ３０は、暗証番号表示用の仮登録完了画面を作成して（ステップＳ１０５）、該画面のＵＲＬを携帯端末１０に送信したが（ステップＳ１０６）、仮登録完了画面の作成は行わないで、暗証番号、又はＱＲコード化した暗証番号を、携帯端末１０に送信してもよい。この場合は、ユーザは、携帯端末１０が受信した暗証番号を端末装置２０の入力部２２を介して入力するか、ＱＲコードを表示した携帯端末を近接させて、端末装置２０に読み取らせればよい。
【００５５】
また、仮登録処理において、管理サーバ３０は、受信した個人情報から携帯端末１０のユーザの住所を特定し、特定した住所宛に、認証番号、又は、仮登録完了画面へのＵＲＬ、又は、仮登録完了画面にアクセスするための会員番号を印刷して郵送（送付）するための処理を行ってもよい。この場合は、ユーザは、郵送物に表示されている情報から暗証番号を判別し、端末装置２０の入力部２２を介して入力すればよい。なお、上述の会員番号とは、管理サーバ３０が運営するサイトで使用可能な番号のことであり、ユーザは当該サイトにアクセスして所定の欄に会員番号を入力することにより、仮登録完了画面にアクセスすることが可能となる。
【００５６】
また、本実施形態では、管理サーバ３０が暗証番号をＱＲコード化して仮登録完了画面に表示したが、他の二次元コードや、バーコードなどの一次元コードを用いて暗証番号をコード化したものを表示してもよい。
また、図７（Ｂ）に示すように、暗証番号をコード化しないで直接仮登録完了画面に表示してもよい。この場合は、ユーザは、携帯端末１０に表示されている暗証番号を端末装置２０の入力部２２を介して入力すればよい。なお、この場合は、管理サーバ３０は、ＱＲコードリーダ２７を備えなくてもよい。
また、図７（Ｃ）に示すように、暗証コードと、暗証コードをコード化したものとを同時に仮登録完了画面に表示してもよい。
【００５７】
また、一般的なＰＣ等に非接触リーダとＱＲコードリーダとを接続することによって、端末装置２０を構成してもよい。また、非接触リーダ又は非接触リーダライタに、入力装置（キーボード、マウス等）と表示装置（液晶ディスプレイ等）とＱＲコードリーダとを接続することによって、端末装置２０を構成してもよい。
【図面の簡単な説明】
【００５８】
【図１】本発明の実施形態に係るサービス提供システムの構成を示す図である。
【図２】携帯端末１０の構成を示すブロック図である。
【図３】端末装置２０の構成を示すブロック図である。
【図４】管理サーバ３０の構成を示すブロック図である。
【図５】会員情報ＤＢの具体的構造を説明するための図である。
【図６】仮登録処理を説明するためのフローチャートである。
【図７】仮登録完了画面の具体例を示した図である。
【図８】登録処理を説明するためのフローチャートである。
【符号の説明】
【００５９】
１  サービス提供システム
１０  携帯端末
２０  端末装置
３０  管理サーバ
４０  通信ネットワーク
【図１】
2009230493.tif 000003
【図２】
2009230493.tif 000004
【図３】
2009230493.tif 000005
【図４】
2009230493.tif 000006
【図５】
2009230493.tif 000007
【図６】
2009230493.tif 000008
【図７】
2009230493.tif 000009
【図８】
2009230493.tif 000010